(57)【要約】【課題】本発明は、プラズマディスプレイ装置及びプラズマディスプレイパネルの駆動方法を提供するためのものである。【解決手段】本発明に係るプラズマディスプレイ装置は、第１電極と第２電極を含むプラズマディスプレイパネルと統合サステイン駆動部を含み、統合サステイン駆動部は第１電極にサステイン期間において、正極性サステイン信号と負極性サステイン信号を供給し、サステイン期間において正極性サステイン信号が供給される期間または負極性サステイン信号が供給される期間のうち、少なくとも１つの期間で２回の発光が発生するように動作する。【選択図】図２
2007183652.tif 000002
【特許請求の範囲】
【請求項１】
第１電極と第２電極を含むプラズマディスプレイパネルと、
前記第１電極にサステイン期間において正極性サステイン信号と負極性サステイン信号を供給し、前記サステイン期間において前記正極性サステイン信号が供給される期間または前記負極性サステイン信号が供給される期間の内、少なくとも１つの期間で２回の発光が発生するようにする統合サステイン駆動部と、
を含むプラズマディスプレイ装置。
【請求項２】
前記統合サステイン駆動部は、
相互インダクタンスを発生させるインダクタ部を含むことを特徴とする請求項１記載のプラズマディスプレイ装置。
【請求項３】
前記統合サステイン駆動部は、
前記インダクタ部と前記プラズマディスプレイパネルとの間の共振により前記プラズマディスプレイパネルで第１発光を発生させ、
正極性電圧源または負極性電圧源から供給された正極性サステイン電圧または負極性サステイン電圧により前記プラズマディスプレイパネルで第２発光を発生するように制御することを特徴とする請求項２記載のプラズマディスプレイ装置。
【請求項４】
前記第２発光による輝度は、前記第１発光による輝度より大きいことを特徴とする請求項３記載のプラズマディスプレイ装置。
【請求項５】
第１電極と第２電極を含むプラズマディスプレイパネルと、
前記第１電極にサステイン期間において、正極性電圧源から供給される正極性サステイン電圧を供給する正極性サステイン制御部と、
前記第１電極にサステイン期間において、負極性電圧源から供給される負極性サステイン電圧を供給する負極性サステイン制御部と、
前記プラズマディスプレイパネルと共振を発生させ、相互インダクタンスを発生させるインダクタ部と、
前記共振が発生するように制御する共振制御部と、
前記インダクタ部と前記共振制御部との間に電気的に連結されて逆電流を遮断する逆電流遮断部と、
前記相互インダクタンスにより発生する電流の経路を形成するバイパス部と、
を含むプラズマディスプレイ装置。
【請求項６】
前記インダクタ部は、
前記第１電極の電圧が負極性電圧から正極性電圧に反転するように共振を発生させる第１インダクタと、
前記第１電極の電圧が正極性電圧から負極性電圧に反転するように共振を発生させる第２インダクタと、
を含むことを特徴とする請求項５記載のプラズマディスプレイ装置。
【請求項７】
前記第１インダクタのインダクタンスは、前記第２インダクタのインダクタンスと同一であることを特徴とする請求項６記載のプラズマディスプレイ装置。
【請求項８】
前記共振制御部は、
前記第１電極の電圧が負極性電圧から正極性電圧に反転するようにする共振が発生するように制御する第１共振スイッチと、
前記第１電極の電圧が正極性電圧から負極性電圧に反転するようにする共振が発生するように制御する第２共振スイッチと、
を含むことを特徴とする請求項６記載のプラズマディスプレイ装置。
【請求項９】
前記第１共振スイッチまたは前記第２共振スイッチがターンオンされた期間において、前記プラズマディスプレイパネルで第１発光が発生することを特徴とする請求項８記載のプラズマディスプレイ装置。
【請求項１０】
前記正極性サステイン制御部は正極性サステインスイッチを含み、
前記負極性サステイン制御部は負極性サステインスイッチを含み、
前記正極性サステインスイッチまたは前記負極性サステインスイッチの内、１つは前記第１共振スイッチ及び前記第２共振スイッチがターンオフされた後、所定時間経過後にターンオンされることを特徴とする請求項８記載のプラズマディスプレイ装置。
【請求項１１】
前記所定時間は、１００ｎｓ（ナノ秒）以上５００ｎｓ（ナノ秒）以下であることを特徴とする請求項１０記載のプラズマディスプレイ装置。
【請求項１２】
前記正極性サステインスイッチまたは前記負極性サステインスイッチの内、１つがターンオンされた期間において、前記プラズマディスプレイパネルで第２発光が発生することを特徴とする請求項１０記載のプラズマディスプレイ装置。
【請求項１３】
前記逆電流遮断部は、
前記第１インダクタと前記第１共振スイッチとの間で逆電流を遮断する第１遮断ダイオードと、
前記第２インダクタと前記第２共振スイッチとの間で逆電流を遮断する第２遮断ダイオードと、
を含むことを特徴とする請求項８記載のプラズマディスプレイ装置。
【請求項１４】
前記バイパス部は、
前記相互インダクタンスにより誘導された前記第１インダクタの誘導電圧が発生させる電流の経路を形成する第１バイパスダイオードと、
前記相互インダクタンスにより誘導された前記第２インダクタの誘導電圧が発生させる電流の経路を形成する第２バイパスダイオードと、
を含むことを特徴とする請求項６記載のプラズマディスプレイ装置。
【請求項１５】
第１電極と第２電極を含むプラズマディスプレイパネルの駆動方法であって、
前記第１電極の電圧が負極性サステイン電圧に維持される段階（ａ）と、
前記第１電極の電圧が前記負極性サステイン電圧から正極性サステイン電圧まで徐々に上昇する段階（ｂ）と、
前記第１電極の電圧が前記正極性サステイン電圧から前記正極性サステイン電圧より低くグランドレベルの電圧より高い第１電圧まで徐々に下降する段階（ｃ）と、
前記第１電極の電圧が前記第１電圧から前記正極性サステイン電圧まで上昇する段階（ｄ）と、
前記第１電極の電圧が前記正極性サステイン電圧に維持される段階（ｅ）と、
前記第１電極の電圧が前記正極性サステイン電圧から前記負極性サステイン電圧まで徐々に下降する段階（ｆ）と、
前記第１電極の電圧が前記負極性サステイン電圧から前記負極性サステイン電圧よりは高く前記グランドレベルの電圧よりは低い第２電圧まで徐々に上昇する段階（ｇ）と、
前記第１電極の電圧が前記第２電圧から前記負極性サステイン電圧まで下降する段階（ｈ）と、
を含むプラズマディスプレイパネルの駆動方法。 
【請求項１６】
前記第１電極の電圧が前記負極性サステイン電圧から正極性サステイン電圧まで徐々に上昇する段階（ｂ）、または、前記第１電極の電圧が前記正極性サステイン電圧から前記負極性サステイン電圧まで徐々に下降する段階（ｆ）のうち、少なくとも１つの段階により、
前記プラズマディスプレイパネルは第１発光をすることを特徴とする請求項１５記載のプラズマディスプレイパネルの駆動方法。
【請求項１７】
前記第１電極の電圧が前記第１電圧から前記正極性サステイン電圧まで上昇する段階（ｄ）、または、前記第１電極の電圧が前記第２電圧から前記負極性サステイン電圧まで下降する段階（ｈ）のうち、少なくとも１つの段階により、
前記プラズマディスプレイパネルは第２発光をすることを特徴とする請求項１６記載のプラズマディスプレイパネルの駆動方法。
【請求項１８】
前記第２発光による輝度は、前記第１発光による輝度より大きいことを特徴とする請求項１７記載のプラズマディスプレイパネルの駆動方法。
【発明の詳細な説明】
【技術分野】
【０００１】
本発明は、プラズマディスプレイ装置及びプラズマディスプレイパネルの駆動方法に関する。
【背景技術】
【０００２】
一般に、プラズマディスプレイ装置は、画像を表示するプラズマディスプレイパネルとプラズマディスプレイパネルを駆動させるための駆動部がプラズマディスプレイパネルの背面に取り付けられて形成される。
【０００３】
プラズマディスプレイパネルは、画像が表示されるプラズマディスプレイパネル（Plasma Display Panel）の前面基板と後面基板との間に形成された隔壁により形成された複数の放電セルを有するものであって、各セル内にはネオン（Ｎｅ）、ヘリウム（Ｈｅ）またはネオン及びヘリウムの混合気体（Ｎｅ+Ｈｅ）のような主放電気体と少量のキセノンを含有する不活性ガスが充電されている。このような放電セルは複数個が集まって１つのピクセル（Pixel）をなす。例えば、赤色（Red、R）放電セル、緑色（Green、G）放電セル、青色（Blue、B）放電セルが集まって１つのピクセルをなすものである。
【０００４】
そして、このようなプラズマディスプレイパネルは、高周波電圧により放電される際、不活性ガスは真空紫外線（Vacuum Ultraviolet rays）を発生し、隔壁間に形成された蛍光体を発光させて画像が具現される。このようなプラズマディスプレイパネルは、軽量薄型の構成が可能であるので、表示装置として脚光を浴びている。
【発明の開示】
【発明が解決しようとする課題】
【０００５】
しかしながら、従来のプラズマディスプレイ装置及びプラズマディスプレイパネルの駆動方法では、回路の安定性を効率よく確保すること、及び、発光効率を向上させることが困難であった。したがって、本発明は、こうした問題を解決することのできるプラズマディスプレイ装置及びプラズマディスプレイパネルの駆動方法を提供するためのものである。
【課題を解決するための手段】
【０００６】
第１発明に係るプラズマディスプレイ装置は、第１電極と第２電極を含むプラズマディスプレイパネルと、第１電極にサステイン期間において、正極性サステイン信号と負極性サステイン信号を供給し、前記サステイン期間において正極性サステイン信号が供給される期間または前記負極性サステイン信号が供給される期間の内、少なくとも１つの期間で２回の発光が発生するようにする統合サステイン駆動部と、を含む。
【０００７】
また、第２発明に係るプラズマディスプレイ装置は、第１発明に係るプラズマディスプレイ装置において、統合サステイン駆動部は、相互インダクタンスを発生させるインダクタ部を含むことを特徴とする。
【０００８】
また、第３発明に係るプラズマディスプレイ装置は、第２発明に係るプラズマディスプレイ装置において、統合サステイン駆動部は、インダクタ部とプラズマディスプレイパネルとの間の共振によりプラズマディスプレイパネルで第１発光を発生させ、正極性電圧源または負極性電圧源から供給された正極性サステイン電圧または負極性サステイン電圧によりプラズマディスプレイパネルで第２発光を発生するように制御することを特徴とする。
【０００９】
また、第４発明に係るプラズマディスプレイ装置は、第３発明に係るプラズマディスプレイ装置において、第２発光による輝度は、第１発光による輝度より大きくすることを特徴とする。
【００１０】
また、第５発明に係るプラズマディスプレイ装置は、第１電極と第２電極を含むプラズマディスプレイパネルと、第１電極にサステイン期間において、正極性電圧源から供給される正極性サステイン電圧を供給する正極性サステイン制御部と、第１電極にサステイン期間において、負極性電圧源から供給される負極性サステイン電圧を供給する負極性サステイン制御部と、プラズマディスプレイパネルと共振を発生させ、相互インダクタンスを発生させるインダクタ部と、共振が発生するように制御する共振制御部と、インダクタ部と共振制御部との間に電気的に連結されて逆電流を遮断する逆電流遮断部と、相互インダクタンスにより発生する電流の経路を形成するバイパス部と、を含む。
【００１１】
また、第６発明に係るプラズマディスプレイ装置は、第５発明に係るプラズマディスプレイ装置において、インダクタ部は、第１電極の電圧が負極性電圧から正極性電圧に反転するように共振を発生させる第１インダクタと、第１電極の電圧が正極性電圧から負極性電圧に反転するように共振を発生させる第２インダクタと、を含むことを特徴とする。
【００１２】
また、第７発明に係るプラズマディスプレイ装置は、第６発明に係るプラズマディスプレイ装置において、第１インダクタのインダクタンスは、第２インダクタのインダクタンスと同一であることを特徴とする。
【００１３】
また、第８発明に係るプラズマディスプレイ装置は、第６発明に係るプラズマディスプレイ装置において、共振制御部は、第１電極の電圧が負極性電圧から正極性電圧に反転するようにする共振が発生するように制御する第１共振スイッチと、第１電極の電圧が正極性電圧から負極性電圧に反転するようにする共振が発生するように制御する第２共振スイッチと、を含むことを特徴とする。
【００１４】
また、第９発明に係るプラズマディスプレイ装置は、第８発明に係るプラズマディスプレイ装置において、第１共振スイッチまたは第２共振スイッチがターンオンされた期間において、プラズマディスプレイパネルで第１発光が発生することを特徴とする。
【００１５】
また、第１０発明に係るプラズマディスプレイ装置は、第８発明に係るプラズマディスプレイ装置において、正極性サステイン制御部は正極性サステインスイッチを含み、負極性サステイン制御部は負極性サステインスイッチを含み、正極性サステインスイッチまたは負極性サステインスイッチの内、１つは第１共振スイッチ及び第２共振スイッチがターンオフされた後、所定時間経過後にターンオンされることを特徴とする。
【００１６】
また、第１１発明に係るプラズマディスプレイ装置は、第１０発明に係るプラズマディスプレイ装置において、所定時間は、１００ｎｓ（ナノ秒）以上５００ｎｓ（ナノ秒）以下であることを特徴とする。
【００１７】
また、第１２発明に係るプラズマディスプレイ装置は、第１０発明に係るプラズマディスプレイ装置において、正極性サステインスイッチまたは負極性サステインスイッチの内、１つがターンオンされた期間において、プラズマディスプレイパネルで第２発光が発生することを特徴とする。
【００１８】
また、第１３発明に係るプラズマディスプレイ装置は、第８発明に係るプラズマディスプレイ装置において、逆電流遮断部は、第１インダクタと第１共振スイッチとの間で逆電流を遮断する第１遮断ダイオードと、第２インダクタと第２共振スイッチとの間で逆電流を遮断する第２遮断ダイオードと、を含むことを特徴とする。
【００１９】
また、第１４発明に係るプラズマディスプレイ装置は、第６発明に係るプラズマディスプレイ装置において、バイパス部は、相互インダクタンスにより誘導された第１インダクタの誘導電圧が発生させる電流の経路を形成する第１バイパスダイオードと、相互インダクタンスにより誘導された第２インダクタの誘導電圧が発生させる電流の経路を形成する第２バイパスダイオードと、を含むことを特徴とする。
【００２０】
また、第１５発明に係るプラズマディスプレイパネルの駆動方法は、第１電極と第２電極を含むプラズマディスプレイパネルの駆動方法であって、第１電極の電圧が負極性サステイン電圧に維持される段階（ａ）と、第１電極の電圧が負極性サステイン電圧から正極性サステイン電圧まで徐々に上昇する段階（ｂ）と、第１電極の電圧が正極性サステイン電圧から正極性サステイン電圧より低くグランドレベルの電圧より高い第１電圧まで徐々に下降する段階（ｃ）と、第１電極の電圧が第１電圧から正極性サステイン電圧まで上昇する段階（ｄ）と、第１電極の電圧が正極性サステイン電圧に維持される段階（ｅ）と、第１電極の電圧が正極性サステイン電圧から負極性サステイン電圧まで徐々に下降する段階（ｆ）と、第１電極の電圧が負極性サステイン電圧から負極性サステイン電圧よりは高くグランドレベルの電圧よりは低い第２電圧まで徐々に上昇する段階（ｇ）と、第１電極の電圧が第２電圧から負極性サステイン電圧まで下降する段階（ｈ）と、を含む。
【００２１】
また、第１６発明に係るプラズマディスプレイパネルの駆動方法は、第１５発明に係るプラズマディスプレイパネルの駆動方法において、第１電極の電圧が負極性サステイン電圧から正極性サステイン電圧まで徐々に上昇する段階（ｂ）、または、第１電極の電圧が正極性サステイン電圧から負極性サステイン電圧まで徐々に下降する段階（ｆ）のうち、少なくとも１つの段階により、プラズマディスプレイパネルは第１発光をすることを特徴とする。
【００２２】
また、第１７発明に係るプラズマディスプレイパネルの駆動方法は、第１６発明に係るプラズマディスプレイパネルの駆動方法において、第１電極の電圧が第１電圧から正極性サステイン電圧まで上昇する段階（ｄ）、または、第１電極の電圧が第２電圧から負極性サステイン電圧まで下降する段階（ｈ）のうち、少なくとも１つの段階により、プラズマディスプレイパネルは第２発光をすることを特徴とする。
また第１８発明に係るプラズマディスプレイパネルの駆動方法は、第１７発明に係るプラズマディスプレイパネルの駆動方法において、第２発光による輝度は、第１発光による輝度より大きいことを特徴とする。
【発明の効果】
【００２３】
本発明のプラズマディスプレイ装置及びプラズマディスプレイパネルの駆動方法によれば、回路の安定性が効率よく確保でき、発光効率が向上する効果が得られる。
【発明を実施するための最良の形態】
【００２４】
以下、添付した図面を参照しつつ本発明のプラズマディスプレイパネルの駆動方法を詳細に説明する。
【００２５】
図１は、本発明の一例によるプラズマディスプレイ装置を概略的に示す図である。
【００２６】
図１を見れば、本発明に一例に係るプラズマディスプレイ装置は、プラズマディスプレイパネル１００、第１駆動部１１０及び第２駆動部１２０を含む。
【００２７】
プラズマディスプレイパネル１００は、第１電極（Ｙ１乃至Ｙｎ）、第２電極（Ｚ）及び第１電極（Ｙ１乃至Ｙｎ）と第２電極（Ｚ）に交差する方向に形成された第３電極（Ｘ１乃至Ｘｍ）を含む。
【００２８】
第１駆動部１１０は統合サステイン駆動部を含み、第２駆動部１２０はデータ駆動部を含む。
【００２９】
第１駆動部１１０は、プラズマディスプレイパネル１００の第１電極（Ｙ１乃至Ｙｎ）を駆動する。
【００３０】
ここで、第１駆動部１１０に含まれた統合サステイン駆動部は、放電を維持して映像が表示されるように正極性サステイン信号と負極性サステイン信号を複数個の第１電極（Ｙ１乃至Ｙｎ）に供給する。
【００３１】
このような正極性サステイン信号が供給される期間または負極性サステイン信号が供給される期間のうち、少なくとも１つの期間において、プラズマディスプレイパネル１００の第１電極（Ｙ１乃至Ｙｎ）と第２電極（Ｚ）との間では２回のサステイン放電が発生する。これによって、プラズマディスプレイパネルの放電セル内では２回の発光が発生する。
【００３２】
また、第１駆動部１１０は、第１電極（Ｙ１乃至Ｙｎ）に放電セル内に壁電荷（Wall Charge）が均一に形成されるようにリセット信号を供給することができ、スキャン基準電圧、スキャン信号を供給することができる。
【００３３】
第２駆動部１２０はデータ駆動部を含み、データ駆動部はプラズマディスプレイパネル１００に形成された複数個の第３電極（Ｘ１乃至Ｘｍ）にデータ信号を供給する。
【００３４】
図２は、プラズマディスプレイパネルの一例を説明するための図である。
【００３５】
図２を見れば、本発明の一例によるプラズマディスプレイパネル１００は互いに並んだ第１電極（Ｙ）２０２と第２電極（Ｚ）２０３が配置された前面基板２０１と、前述した第１電極（Ｙ）２０２及び第２電極（Ｚ）２０３と交差する第３電極（Ｘ）２１３が配置された後面基板２１１が合着してなされる。
【００３６】
前面基板２０１上に形成される第１電極（Ｙ）２０２と第２電極（Ｚ）２０３は、放電セル（Cell）で放電を発生させ、併せて放電セルの放電を維持することができる。
【００３７】
第１電極（Ｙ）２０２と第２電極（Ｚ）２０３が形成された前面基板２０１の上部には第１電極（Ｙ）２０２と第２電極（Ｚ）２０３を覆うように上部誘電体層２０４が形成される。上部誘電体層２０４は第１電極（Ｙ）２０２及び第２電極（Ｚ）２０３の放電電流を制限し、第１電極（Ｙ）２０２と第２電極（Ｚ）２０３との間を絶縁させることができる。
【００３８】
上部誘電体層２０４の上面には放電条件を容易にするための保護層２０５が形成される。保護層２０５は酸化マグネシウム（ＭｇＯ）などの材料を上部誘電体層２０４の上部に蒸着する方法などにより形成することができる。
【００３９】
後面基板２１１の上には第３電極（Ｘ）２１３が形成され、第３電極（Ｘ）２１３が形成された後面基板２１１の上部には第３電極（Ｘ）２１３を覆うように下部誘電体層２１５が形成される。下部誘電体層２１５は、第３電極（Ｘ）２１３を絶縁させることができる。
【００４０】
下部誘電体層２１５の上部には放電セルを区画するためのストライプタイプ（Stripe Type）、ウェルタイプ（Well Type）、デルタタイプ（Ｄelta Type）などの隔壁２１２を形成することができる。これによって、前面基板２０１と後面基板２１１との間で赤色（Red：Ｒ）、緑色（Green：Ｇ）、及び青色（Blue：Ｂ）などの放電セルが形成される。赤色（Ｒ）、緑色（Ｇ）、及び青色（Ｂ）放電セルの以外に白色（White：Ｗ）または黄色（Yellow：Ｙ）放電セルを更に形成することができる。
【００４１】
赤色（Ｒ）、緑色（Ｇ）及び青色（Ｂ）放電セルの面積は実質的に同一であってもよいが、赤色（Ｒ）、緑色（Ｇ）、及び青色（Ｂ）放電セルでの色温度を合せるために、赤色（Ｒ）、緑色（Ｇ）、及び青色（Ｂ）放電セルの面積が異なるようにすることができる。例えば、赤色（Ｒ）放電セルの面積が最も少なく、緑色（Ｇ）及び青色（Ｂ）放電セルの面積が赤色（Ｒ）放電セルの面積より大きく形成することができる。
【００４２】
図２では、隔壁２１２の高さが同一であることを図示したが、第１電極（Ｙ）２０２及び第２電極（Ｚ）２０３に並んだ方向に配置される隔壁２１２を第３電極（Ｘ）２１３に並んだ方向に形成された隔壁２１２より低く形成することができる。
【００４３】
隔壁２１２により区画された放電セル内には所定の放電ガスを満たすことができる。
また、隔壁２１２により区画された放電セル内にはアドレス放電の際、画像表示のための可視光を放出する蛍光体層２１４が形成される。例えば、赤色（Red：Ｒ）、緑色（Green：Ｇ）、及び青色（Blue：Ｂ）蛍光体層が形成される。
【００４４】
また、赤色（Ｒ）、緑色（Ｇ）、及び青色（Ｂ）蛍光体層以外に、白色（White：Ｗ）及び／または黄色（Yellow：Ｙ）蛍光体層を更に形成することもできる。
【００４５】
図３は、プラズマディスプレイパネルを駆動する方法の一例を説明するための図である。
【００４６】
図示したように、第１駆動部１１０と第２駆動部１２０は、リセット期間、アドレス期間及びサステイン期間で駆動信号を供給する。
【００４７】
リセット期間のセットアップ期間では、第１駆動部１１０は第１電極（Ｙ）にセットアップ信号（Set-up）を供給する。
【００４８】
セットアップ信号（Set-up）により全画面の放電セル内には弱い暗放電（Ｄark Discharge）であるセットアップ放電が生じる。このセットアップ放電により第２電極（Ｚ）と第３電極（Ｘ）に正極性壁電荷が蓄積されることになり、第１電極（Ｙ）には負極性の壁電荷が蓄積されることになる。
【００４９】
セットダウン期間において、第１駆動部１１０は、第１電極（Ｙ）にセットアップ信号（Set-up）を供給した後、セットアップ信号（Set-up）の最高電圧より低い正極性電圧から落ち始めてグランド（ＧＮＤ）レベル電圧以下の特定電圧レベルまで落ちるセットダウン信号（Set-down）を供給する。これによって、放電セル内に微弱な消去放電であるセットダウン放電が発生することにより、放電セル内に過度に形成された壁電荷が適切に消去され、アドレス放電が安定に生じることができる程度の壁電荷が放電セル内に均一に形成される。
【００５０】
アドレス期間において、第１駆動部１１０はスキャンバイアス電圧（Vsc-Vy）から下降する負極性スキャン信号（Scan）を第１電極（Ｙ）に供給する。これと共に、第２駆動部１２０に含まれたデータ駆動部はスキャン信号（Scan）に対応して第３電極（Ｘ）に正極性のデータ信号（Ｄata）を供給する。スキャン信号（Scan）とデータ信号（Ｄata）の電圧差とリセット期間に生成された壁電圧が加えられながらデータ信号（Ｄata）が印加される放電セル内にはアドレス放電が発生される。アドレス放電により選択された放電セル内にはサステイン電圧（Ｖｓ）が印加される際、放電が生じられるようにする程度の壁電荷が形成される。これによって、第１電極（Ｙ）がスキャニング（Scanning）される。
【００５１】
サステイン期間において、第１駆動部１１０に含まれた統合サステイン駆動部は、第１電極（Ｙ）に正極性サステイン信号（＋Ｓｕｓ）と負極性サステイン信号（−Ｓｕｓ）を供給する。
【００５２】
これによって、アドレス放電により選択された放電セルは放電セル内の壁電圧と正極性サステイン信号（＋Ｓｕｓ）または負極性サステイン信号（＋Ｓｕｓ）の電圧が加えられながら第１電極（Ｙ）と第２電極（Ｚ）との間にサステイン放電が生じることになる。
【００５３】
正極性サステイン信号（＋Ｓｕｓ）が供給される期間、または、負極性サステイン信号（−Ｓｕｓ）が供給される期間のうち、少なくとも１つの期間において、プラズマディスプレイパネルの放電セル内では２回のサステイン放電が発生して２回の発光がなされる。
【００５４】
第１発光は、相互インダクタンスを発生させるインダクタ部とプラズマディスプレイパネル間の共振により第１電極の電圧が正極性サステイン電圧（＋Ｖｓ）から負極性サステイン電圧（−Ｖｓ）に、または、負極性サステイン電圧（−Ｖｓ）から正極性サステイン電圧（＋Ｖｓ）に反転する間に発生する。
【００５５】
第２発光は、正極性サステイン信号（＋Ｓｕｓ）が正極性サステイン電圧（＋Ｖｓ）から第１電圧（Ｖ１）まで徐々に下降した以後、正極性電圧源から供給された正極性サステイン電圧により第１電極（Ｙ）の電圧がまた第１電圧（Ｖ１）から正極性サステイン電圧（＋Ｖｓ）まで上昇する間に発生し、負極性サステイン信号（＋Ｓｕｓ）が負極性サステイン電圧（−Ｖｓ）から第２電圧（Ｖ２）まで徐々に上昇した以後、負極性電圧源から供給された負極性サステイン電圧により、また第１電極（Ｙ）の電圧が第２電圧（Ｖ２）から負極性サステイン電圧（−Ｖｓ）まで下降する間に発生する。
【００５６】
このような第２発光による輝度は第１発光による輝度より大きい値を有する。
【００５７】
このように、正極性サステイン信号（＋Ｓｕｓ）または負極性サステイン信号（−Ｓｕｓ）が供給される期間のうち、少なくとも１つの期間で２回の発光がなされるようにすることによって、輝度を大きく向上させることができる。
【００５８】
第１電圧は正極性サステイン電圧より低く、グランドレベルの電圧（ＧＮＤ）より高く設定され、第２電圧は負極性サステイン電圧より高く、グランドレベルの電圧（ＧＮＤ）より低く設定される。このような第１電圧と正極性サステイン電圧との間の電圧差と第２電圧と負極性サステイン電圧との間の電圧差は１５０Ｖ（ボルト）から１８０Ｖ（ボルト）間になるようにすることができる。
【００５９】
図４は、統合サステイン駆動部を説明するための図である。
【００６０】
図示したように、統合サステイン駆動部４００は、負極性サステイン制御部４１０、正極性サステイン制御部４２０、インダクタ部４３０、共振制御部４４０、逆電流遮断部４５０及びバイパス部４６０を含む。
【００６１】
正極性サステイン制御部４２０は正極性サステインスイッチ（Ｑ１）を含み、第１電極（Ｙ）にサステイン期間において、正極性電圧源（＋Ｖｓ）４７０から供給される正極性サステイン電圧（＋Ｖｓ）を供給する。
【００６２】
負極性サステイン制御部４１０は、負極性サステインスイッチ（Ｑ２）を含み、第１電極（Ｙ）にサステイン期間において、負極性電圧源（−Ｖｓ）４８０から供給される負極性サステイン電圧（−Ｖｓ）を供給する。
【００６３】
インダクタ部４３０は、第１電極（Ｙ）と第２電極（Ｚ）を含むプラズマディスプレイパネル１００と共振を発生させ、相互インダクタンスを発生させる。インダクタ部４３０は、第１インダクタ（Ｌ１）と第２インダクタ（Ｌ２）を含み、第１インダクタ（Ｌ１）は第１電極（Ｙ）の電圧が負極性電圧から正極性電圧に反転するように共振を発生させ、第２インダクタ（Ｌ２）は第１電極（Ｙ）の電圧が正極性電圧から負極性電圧に反転するように共振を発生させる。
【００６４】
共振制御部４４０は、プラズマディスプレイパネル１００と第１インダクタ（Ｌ１）または第２インダクタ（Ｌ２）との間の共振が発生するように制御する。共振制御部４４０は第１共振スイッチ（Ｑ３）と第２共振スイッチ（Ｑ４）を含み、第１共振スイッチ（Ｑ３）は第１電極（Ｙ）の電圧が負極性電圧から正極性電圧に転換されるようにするための第１インダクタ（Ｌ１）とパネルとの間の共振が発生するように制御し、第２共振スイッチ（Ｑ４）は第１電極（Ｙ）の電圧が正極性電圧から負極性電圧に転換されるようにするための第２インダクタ（Ｌ２）とパネルとの間の共振が発生するように制御する。
【００６５】
逆電流遮断部４５０はインダクタ部４３０と共振制御部４４０との間に電気的に連結されて逆電流を遮断する。逆電流遮断部４５０は第１遮断ダイオード（Ｄ１）と第２遮断ダイオード（Ｄ２）を含み、第１遮断ダイオード（Ｄ１）は第１インダクタ（Ｌ１）と第１共振スイッチ（Ｑ３）との間で逆電流を遮断し、第２遮断ダイオード（Ｄ２）は第２インダクタ（Ｌ２）と第２共振スイッチ（Ｑ４）との間で逆電流を遮断する。
【００６６】
バイパス部４６０は相互インダクタンスにより発生する電流の経路を形成する。バイパス部４６０は第１バイパスダイオード（Ｄ３）と第２バイパスダイオード（Ｄ４）を含み、第１バイパスダイオード（Ｄ３）は、第２インダクタ（Ｌ２）による相互インダクタンスにより形成された第１インダクタ（Ｌ１）の誘導電圧が発生させる電流の経路を形成し、第２バイパスダイオード（Ｄ４）は第１インダクタ（Ｌ１）による相互インダクタンスにより形成された第２インダクタ（Ｌ２）の誘導電圧が発生させる電流の経路を形成する。
【００６７】
図５は、図４に図示した統合サステイン駆動部の駆動方法の一例を説明するための図である。
【００６８】
図６Ａ乃至図６Ｍは、図５の駆動方法に係る図４の回路動作を示す図である。
【００６９】
図５に示すように、Ｖｃｐは図５のプラズマディスプレイパネル１００において、第２電極（Ｚ）を基準に第１電極（Ｙ）の電圧を図示したものであり、Ｉｃｐは第１電極（Ｙ）に充電される電流を図示したものであり、ＩＬ１は第１インダクタ（Ｌ１）の電流、ＩＬ２は第２インダクタ（Ｌ２）の電流を図示したものであり、Ｑ１乃至Ｑ４は各スイッチのスイッチングタイミングを示す。
【００７０】
プラズマディスプレイパネル１００の駆動方法の一例は、下記の段階を含む。
【００７１】
（１）ｔ１期間において、プラズマディスプレイパネル１００の第１電極（Ｙ）の電圧（Ｖｃｐ）が負極性サステイン電圧（−Ｖｓ）に維持される段階、
（２）ｔ２とｔ３−１期間において、第１電極（Ｙ）の電圧（Ｖｃｐ）が負極性サステイン電圧（−Ｖｓ）から正極性サステイン電圧（＋Ｖｓ）まで徐々に上昇する段階、
（３）ｔ３−２とｔ４期間において、第１電極（Ｙ）の電圧（Ｖｃｐ）が正極性サステイン電圧（＋Ｖｓ）から正極性サステイン電圧（＋Ｖｓ）より低く、グランドレベルの電圧（ＧＮＤ）より高い第１電圧（Ｖ１）まで徐々に下降する段階、
（４）ｔ５−１期間において、第１電極（Ｙ）の電圧（Ｖｃｐ）が第１電圧（Ｖ１）から正極性サステイン電圧（＋Ｖｓ）まで再び上昇する段階、
（５）ｔ５−２期間において、第１電極（Ｙ）の電圧（Ｖｃｐ）が正極性サステイン電圧（＋Ｖｓ）に維持される段階、
（６）ｔ６、ｔ７−１期間において、第１電極（Ｙ）の電圧（Ｖｃｐ）が正極性サステイン電圧（＋Ｖｓ）から負極性サステイン電圧（−Ｖｓ）まで徐々に下降する段階、
（７）ｔ７−２とｔ８期間において、第１電極（Ｙ）の電圧（Ｖｃｐ）が負極性サステイン電圧（−Ｖｓ）から負極性サステイン電圧（−Ｖｓ）よりは高く、グランドレベルの電圧（ＧＮＤ）よりは低い第２電圧（Ｖ２）まで徐々に上昇する段階、
（８）ｔ９−１期間において、第１電極（Ｙ）の電圧（Ｖｃｐ）が第２電圧（Ｖ２）から負極性サステイン電圧（−Ｖｓ）まで下降する段階を含む。
【００７２】
このようにすることで、第１電極（Ｙ）の電圧（Ｖｃｐ）が負極性サステイン電圧（−Ｖｓ）から正極性サステイン電圧（＋Ｖｓ）まで徐々に上昇する段階（すなわち、（２）段階）及び第１電極（Ｙ）の電圧（Ｖｃｐ）が正極性サステイン電圧（＋Ｖｓ）から負極性サステイン電圧（−Ｖｓ）まで徐々に下降する段階（すなわち、（６）段階）によりプラズマディスプレイパネル１００の放電セル内ではサステイン放電による第１発光が発生し、第１電極（Ｙ）の電圧（Ｖｃｐ）が第１電圧（Ｖ１）から正極性サステイン電圧（＋Ｖｓ）まで上昇する段階（すなわち、（４）段階）及び第１電極（Ｙ）の電圧（Ｖｃｐ）が第２電圧（Ｖ２）から負極性サステイン電圧（−Ｖｓ）まで下降する段階（すなわち、（８）段階）によりサステイン放電による第２発光が発生する。
【００７３】
この際、第２発光による輝度は第１発光による輝度より大きく表れる。
【００７４】
以下では、図５のパネルの駆動方法による具体的な回路の動作を説明する。
【００７５】
図５に示すように、ｔ１期間において、負極性サステインスイッチ（Ｑ２）がターンオンされれば、図６Ａに示すように、負極性電圧源（−Ｖｓ）、第２電極（Ｚ）、第１電極（Ｙ）、負極性サステインスイッチ（Ｑ２）、負極性電圧源（−Ｖｓ）に引き継がれる電流パスが形成される。
【００７６】
電流パスによって、ｔ１期間において、プラズマディスプレイパネル１００の第１電極（Ｙ）の電圧（Ｖｃｐ）は負極性サステイン電圧（−Ｖｓ）に維持される。
【００７７】
図５に示すように、ｔ２期間において、第１共振スイッチ（Ｑ３）がターンオンされれば、図６Ｂに示すように、第２電極（Ｚ）、第１共振スイッチ（Ｑ３）、第１遮断ダイオード（Ｄ１）、第１インダクタ（Ｌ１）、第１電極（Ｙ）に引き継がれる電流パスが形成される。
【００７８】
これによって、第１インダクタ（Ｌ１）とプラズマディスプレイパネル１００との間に共振が発生し、共振により第１電極（Ｙ）の電圧（Ｖｃｐ）は負極性サステイン電圧（−Ｖｓ）からグランドレベルの電圧（ＧＮＤ）まで上昇する。
【００７９】
図５に示すように、ｔ３−１期間において、第１共振スイッチ（Ｑ３）がターンオンを維持して、第２共振スイッチ（Ｑ４）がターンオンされれば、図６Ｃに示すように、第２電極（Ｚ）、第１共振スイッチ（Ｑ３）、第１遮断ダイオード（Ｄ１）、第１インダクタ（Ｌ１）、第１電極（Ｙ）に引き継がれる電流パスがそのまま維持される。
【００８０】
電流パスによって、第１インダクタ（Ｌ１）とプラズマディスプレイパネル１００との間に共振が維持され、第１電極（Ｙ）の電圧（Ｖｃｐ）がグランドレベルの電圧（ＧＮＤ）から正極性サステイン電圧（＋Ｖｓ）まで上昇してプラズマディスプレイパネル１００の放電セル内ではサステイン放電が発生し、第１発光が発生することになる。このような第１発光は第２電極（Ｚ）で放電した電流が第１電極（Ｙ）に充電されながら第１電極（Ｙ）に充電される電流（Ｉｃｐ）により表れる発光である。
【００８１】
ここで、第２インダクタ（Ｌ２）から第２遮断ダイオード（Ｄ２）方向に電流パスが形成されないのは、相互インダクタンスにより形成された第２インダクタ（Ｌ２）のＶＬ２電圧により、第２ノード（Ｎ２）の電圧がグランドレベルの電圧（ＧＮＤ）より低くなるためであり、第４バイパスダイオードから第２インダクタ（Ｌ２）方向に電流パスが形成されないのは、第２ノード（Ｎ２）の電圧が負極性サステイン電圧（−Ｖｓ）より高いためである。
【００８２】
このように、ｔ２とｔ３−１期間において、第１インダクタ（Ｌ１）とプラズマディスプレイパネル１００との間の共振により第１電極（Ｙ）の電圧（Ｖｃｐ）が負極性サステイン電圧（−Ｖｓ）から正極性サステイン電圧（＋Ｖｓ）に反転するものである。
【００８３】
図５に示すように、ｔ３−２期間において、第１共振スイッチ（Ｑ３）と第２共振スイッチ（Ｑ４）がターンオンを維持する。このように、ｔ３−２期間において、第１共振スイッチ（Ｑ３）と第２共振スイッチ（Ｑ４）が第１電極（Ｙ）の電圧（Ｖｃｐ）が共振により正極性サステイン電圧（＋Ｖｓ）上昇した以後までターンオンを維持すれば、第１電極（Ｙ）に充電された電流（Ｉｃｐ）はまた放電することになる。これによって、図６Ｄに示すように、第１電極（Ｙ）、第２インダクタ（Ｌ２）、第２遮断ダイオード（Ｄ２）、第２共振スイッチ（Ｑ４）、第２電極（Ｚ）に引き継がれる電流パスが形成される。
【００８４】
電流パスによって、第１電極（Ｙ）の電圧（Ｖｃｐ）は正極性サステイン電圧（＋Ｖｓ）で下降することになり、第２インダクタ（Ｌ２）には電流パスによって電流（ＩＬ２）が流れて、電流（ＩＬ２）の大きさは徐々に増加することになる。これによって、第２インダクタ（Ｌ２）の電流（ＩＬ２）が増加することによって第２インダクタ（Ｌ２）の両端には（１）ＶＬ２の電圧が誘導され、第２インダクタ（Ｌ２）の電流（ＩＬ２）が増加することによる相互インダクタンスにより第１インダクタ（Ｌ１）の両端にも（１）ＶＬ１の電圧が誘導される。
【００８５】
ここで、第２ノード（Ｎ２）の電圧は負極性サステイン電圧（−Ｖｓ）より高いため、第２バイパスダイオード（Ｄ４）に電流が流れない。また、第１インダクタ（Ｌ１）から第１遮断ダイオード（Ｄ１）方向へ向かう電流パスと第１インダクタ（Ｌ１）から第１バイパスダイオード（Ｄ３）方向へ向かう電流パスが形成されないのは、相互インダクタンスにより第１インダクタ（Ｌ１）の両端に誘導された（１）ＶＬ１電圧により第１ノード（Ｎ１）の電圧がグランドレベルの電圧（ＧＮＤ）より高く、正極性サステイン電圧（＋Ｖｓ）より低い電圧で変化するためである。
【００８６】
そして、ｔ３−２期間が終了すると共に、第１共振スイッチ（Ｑ３）と第２共振スイッチ（Ｑ４）がターンオフされる。これによって、第２インダクタ（Ｌ２）に流れる電流（ＩＬ２）は瞬間的に減少して第２インダクタ（Ｌ２）の両端には（１）ＶＬ２の電圧と大きさが同一で、方向が反対である（１）ＶＬ２電圧が誘導されて、第１インダクタ（Ｌ１）の両端には第２インダクタ（Ｌ２）の相互インダクタンスにより（１）ＶＬ１の電圧と大きさが同一で、方向が反対である（２）ＶＬ１電圧が誘導される。
【００８７】
図５に示すように、ｔ４期間において、第１共振スイッチ（Ｑ３）と第２共振スイッチ（Ｑ４）がターンオフされる。これによって、図６Ｄで前述したように、第１共振スイッチ（Ｑ３）と第２共振スイッチ（Ｑ４）がターンオフされながら第１インダクタ（Ｌ１）の両端に（２）ＶＬ１電圧が誘導され、第１電極（Ｙ）の電圧（Ｖｃｐ）とＶＬ１電圧の合計である第１ノード（Ｎ１）の電圧が正極性サステイン電圧（＋Ｖｓ）より高く形成される。これによって、ｔ４期間において、図６Ｅに示すように、第１電極（Ｙ）、第１インダクタ（Ｌ１）、第１バイパスダイオード（Ｄ３）、正極性電圧源（＋Ｖｓ）、第２電極（Ｚ）に引き継がれる電流パスが形成される。
【００８８】
電流パスによって、第１電極（Ｙ）の電圧（Ｖｃｐ）は第１電圧（Ｖ１）まで下降する。
【００８９】
誘導電圧ＶＬ１電圧の大きさが徐々に減少することにつれて、第１インダクタ（Ｌ１）に流れる誘導電流（ＩＬ１）の大きさも徐々に減少することになって、図５に示すように、ｔ４期間において、第１インダクタ（Ｌ１）の電流（ＩＬ１）が形成されるものである。
【００９０】
ここで、第１電圧（Ｖ１）は第１共振スイッチ（Ｑ３）及び第２共振スイッチ（Ｑ４）がターンオフされた後、正極性サステインスイッチ（Ｑ１）がターンオンされるまでの時間であるｔ４期間の長さによって決まる。
【００９１】
このようなｔ４期間の長さは１００ｎｓ（ナノ秒）以上５００ｎｓ（ナノ秒）以下にすることができる。ｔ４期間の長さが１００ｎｓ（ナノ秒）以上にすることによって、第１電極（Ｙ）の電圧（Ｖｃｐ）が十分に下降して、以後にサステイン放電が発生するための適切な第１電圧（Ｖ１）を設定することができ、ｔ４期間の長さが５００ｎｓ（ナノ秒）以下にすることによって、第１電極（Ｙ）の電圧（Ｖｃｐ）が過度に下降することを防止して、以後に正極性サステインスイッチ（Ｑ１）がターンオンされる際、正極性サステインスイッチ（Ｑ１）が受ける内電圧の大きさを減らすことができるので、回路の安定性を確保することができる。
【００９２】
図５に示すように、ｔ５−１期間において、正極性サステインスイッチ（Ｑ１）がターンオンされれば、図６Ｆに示すように、正極性電圧源（＋Ｖｓ）、正極性サステインスイッチ（Ｑ１）、第１電極（Ｙ）、第２電極（Ｚ）の正極性電圧源（＋Ｖｓ）に引き継がれる電流パスが形成される。
【００９３】
電流パスによって、第１電極（Ｙ）に充電される電流（Ｉｃｐ）は急激に増加し、第１電極（Ｙ）の電圧（Ｖｃｐ）も第１電圧（Ｖ１）から正極性サステイン電圧（＋Ｖｓ）まで急激に再び上昇する。これによって、プラズマディスプレイパネル１００の放電セル内では、サステイン放電が発生し、第２発光が発生する。ここで、第２発光は正極性電圧源（＋Ｖｓ）から第１電極（Ｙ）に充電される電流（Ｉｃｐ）による放電により前述した第１発光より大きい放電が発生することになる。
【００９４】
これは、第２発光の際、第１電極（Ｙ）に充電される電流（Ｉｃｐ）の大きさが第１発光の際、第１電極（Ｙ）に充電される電流（Ｉｃｐ）の大きさより大きいためである。
【００９５】
図５に示すように、ｔ５−２期間において、正極性サステインスイッチ（Ｑ１）がターンオンを維持すれば、図６Ｇに示すように、正極性電圧源（＋Ｖｓ）、正極性サステインスイッチ（Ｑ１）、第１電極（Ｙ）、第２電極（Ｚ）の正極性電圧源（＋Ｖｓ）に引き継がれる電流パスが維持される。
【００９６】
電流パスによって、第１電極（Ｙ）の電圧（Ｖｃｐ）は正極性サステイン電圧（＋Ｖｓ）に維持される。
【００９７】
図５に示すように、ｔ６期間において、第２共振スイッチ（Ｑ４）がターンオンされれば、図６Ｈに示すように、第１電極（Ｙ）、第２インダクタ（Ｌ２）、第２遮断ダイオード（Ｄ２）、第２共振スイッチ（Ｑ４）、第２電極（Ｚ）に引き継がれる電流パスが形成される。
【００９８】
これによって、第２インダクタ（Ｌ２）とプラズマディスプレイパネル１００との間に共振が発生し、共振により第１電極（Ｙ）の電圧（Ｖｃｐ）は正極性サステイン電圧（＋Ｖｓ）からグランドレベルの電圧（ＧＮＤ）まで下降する。
【００９９】
図５に示すように、ｔ７−１期間において、第２共振スイッチ（Ｑ４）がターンオンを維持して、第１共振スイッチ（Ｑ３）がターンオンされれば、図６Ｉに示すように、第１電極（Ｙ）、第２インダクタ（Ｌ２）、第２遮断ダイオード（Ｄ２）、第２共振スイッチ（Ｑ４）、第２電極に引き継がれる電流パスがそのまま維持される。
【０１００】
電流パスによって、第２インダクタ（Ｌ２）とプラズマディスプレイパネル１００との間に共振が維持され、第１電極（Ｙ）の電圧（Ｖｃｐ）がグランドレベルの電圧（ＧＮＤ）から負極性サステイン電圧（−Ｖｓ）まで下降してプラズマディスプレイパネル１００の放電セル内ではサステイン放電が発生し、第１発光が発生することになる。
【０１０１】
ここで、第１インダクタ（Ｌ１）に電流（ＩＬ１）が流れないのは、相互インダクタンスにより形成された第１インダクタ（Ｌ１）のＶＬ１電圧により、第１ノード（Ｎ１）の電圧がグランドレベルの電圧（ＧＮＤ）より高く、正極性サステイン電圧（＋Ｖｓ）より低くなるためであり、第２バイパスダイオード（Ｄ４）で電流パスが形成されないのは、第２ノード（Ｎ２）の電圧が負極性サステイン電圧（−Ｖｓ）より高いためである。
【０１０２】
このように、ｔ６とｔ７−１期間において、第２インダクタ（Ｌ２）とプラズマディスプレイパネル１００との間の共振により第１電極（Ｙ）の電圧（Ｖｃｐ）が正極性サステイン電圧（＋Ｖｓ）から負極性サステイン電圧（−Ｖｓ）に反転するのである。
【０１０３】
図５に示すように、ｔ７−２期間において、第１共振スイッチ（Ｑ３）と第２共振スイッチ（Ｑ４）がターンオンを維持する。このように、ｔ７−２期間において、第１共振スイッチ（Ｑ３）と第２共振スイッチ（Ｑ４）が第１電極（Ｙ）の電圧（Ｖｃｐ）が共振により負極性サステイン電圧（−Ｖｓ）に下降した後までターンオンを維持すれば、第１電極（Ｙ）で放電された電流（Ｉｃｐ）は再び充電することになる。これによって、図６Ｊに示すように、第２電極（Ｚ）、第１共振スイッチ（Ｑ３）、第１遮断ダイオード（Ｄ１）、第１インダクタ（Ｌ１）、第１電極（Ｙ）に引き継がれる電流パスが形成される。
【０１０４】
電流パスによって、第１電極（Ｙ）の電圧（Ｖｃｐ）は、負極性サステイン電圧（−Ｖｓ）で上昇することになり、第１インダクタ（Ｌ１）には電流パスによって電流（ＩＬ１）が流れて、電流（ＩＬ１）の大きさは徐々に増加することになる。これによって、第１インダクタ（Ｌ１）の電流（ＩＬ１）が増加することにつれて、第１インダクタ（Ｌ１）の両端には（１）ＶＬ１の電圧が誘導され、相互インダクタンスにより第２インダクタ（Ｌ２）の両端にも（１）ＶＬ２の電圧が誘導される。
【０１０５】
ここで、第１ノード（Ｎ１）の電圧は正極性サステイン電圧（＋Ｖｓ）より低いため、第１バイパスダイオード（Ｄ３）に電流が流れない。また、第２インダクタ（Ｌ２）から第２遮断ダイオード（Ｄ２）方向へ向かう電流パスと第２バイパスダイオード（Ｄ４）から第２インダクタ（Ｌ２）方向へ向かう電流パスが形成されないのは、相互インダクタンスにより第２インダクタ（Ｌ２）の両端に誘導された（１）ＶＬ２電圧により第２ノード（Ｎ２）の電圧がグランドレベルの電圧（ＧＮＤ）より低く、負極性サステイン電圧（−Ｖｓ）より高い電圧で変化するためである。
【０１０６】
そして、ｔ７−２期間が終了すると共に、第１共振スイッチ（Ｑ３）と第２共振スイッチ（Ｑ４）がターンオフされる。これによって、第１インダクタ（Ｌ１）に流れる電流（ＩＬ１）は瞬間的に減少して第１インダクタ（Ｌ１）の両端には（１）ＶＬ１の電圧と大きさが同一で、方向が反対である（２）ＶＬ１電圧が誘導され、第２インダクタ（Ｌ２）の両端には第１インダクタ（Ｌ１）の相互インダクタンスにより（１）ＶＬ２の電圧と大きさが同一で、方向が反対である（２）ＶＬ２電圧が誘導される。
【０１０７】
図５に示すように、ｔ８期間において、第１共振スイッチ（Ｑ３）と第２共振スイッチ（Ｑ４）がターンオフされる。これによって、図６Ｊで前述したように、第１共振スイッチ（Ｑ３）と第２共振スイッチ（Ｑ４）がターンオフされながら第２インダクタ（Ｌ２）の両端に（２）ＶＬ２電圧が誘導され、第２ノード（Ｎ２）の電圧が負極性サステイン電圧（−Ｖｓ）より低く形成される。これによって、ｔ８期間において、図６Ｋに示すように、第２電極（Ｚ）、負極性電圧源（−Ｖｓ）、第２バイパスダイオード（Ｄ４）、第２インダクタ（Ｌ２）、第１電極（Ｙ）に引き継がれる電流パスが形成される。
【０１０８】
電流パスによって、第１電極（Ｙ）の電圧（Ｖｃｐ）は第２電圧（Ｖ２）まで上昇する。
【０１０９】
誘導電圧ＶＬ２電圧の大きさが徐々に減少することにつれて、第２インダクタ（Ｌ２）に流れる誘導電流（ＩＬ２）の大きさも徐々に減少することになって、図５に示すように、ｔ８期間において、第２インダクタ（Ｌ２）の電流（ＩＬ２）が形成されるものである。
【０１１０】
ここで、第２電圧（Ｖ２）は第１共振スイッチ（Ｑ３）及び第２共振スイッチ（Ｑ４）がターンオフされた後、負極性サステインスイッチ（Ｑ２）がターンオンされる前までの時間であるｔ８期間の長さによって決まる。
【０１１１】
このようなｔ８期間の長さは、１００ｎｓ（ナノ秒）以上５００ｎｓ（ナノ秒）以下にすることができる。ｔ８期間の長さを１００ｎｓ（ナノ秒）以上にすることによって、第１電極（Ｙ）の電圧（Ｖｃｐ）が十分に上昇して、以後にサステイン放電が発生するための適切な第２電圧（Ｖ２）を設定することができ、ｔ８期間の長さを５００ｎｓ（ナノ秒）以下にすることによって、第１電極（Ｙ）の電圧（Ｖｃｐ）が過度に上昇することを防止して、以後に負極性サステインスイッチ（Ｑ２）がターンオンされる際、負極性サステインスイッチ（Ｑ２）が受ける内電圧の大きさを減らすことができるので、回路の安定性を確保することができる。
【０１１２】
図５に示すように、ｔ９−１期間において、負極性サステインスイッチ（Ｑ２）がターンオンされれば、図６Ｌに示すように、負極性電圧源（−Ｖｓ）、第２電極（Ｚ）、第１電極（Ｙ）、負極性サステインスイッチ（Ｑ２）、負極性電圧源（−Ｖｓ）に引き継がれる電流パスが形成される。
【０１１３】
電流パスによって、第１電極（Ｙ）で放電される電流（Ｉｃｐ）は急激に増加し、第１電極（Ｙ）の電圧（Ｖｃｐ）も第２電圧（Ｖ２）から負極性サステイン電圧（−Ｖｓ）まで急激にまた下降する。これによって、プラズマディスプレイパネル１００の放電セル内ではサステイン放電が発生し、第２発光が発生する。
【０１１４】
図５に示すように、ｔ９−２期間において、負極性サステインスイッチ（Ｑ２）がターンオンを維持すれば、図６Ｍに示すように、負極性電圧源（−Ｖｓ）、第２電極（Ｚ）、第１電極（Ｙ）、負極性サステインスイッチ（Ｑ２）、負極性電圧源（−Ｖｓ）に引き継がれる電流パスが維持される。
【０１１５】
電流パスによって、第１電極（Ｙ）の電圧（Ｖｃｐ）は負極性サステイン電圧（−Ｖｓ）に維持される。
【０１１６】
このように、図５に図示されたプラズマディスプレイパネル１００の駆動方法の一例は、各スイッチのスイッチングタイミングを調節してサステイン期間において、プラズマディスプレイパネル１００の放電セルで２回の放電を起こすことによって、発光効率が向上するだけでなく、第２発光が第１発光より強く発生するようにスイッチングタイミングを調節することによって、回路の安定性をより効率よく確保することができる効果がある。
【０１１７】
このように、前述したプラズマディスプレイ駆動装置は、前述した種々なる実施例の他に、より多様に実施することができる。
【０１１８】
一例として、ｔ３−１とｔ７−２期間において、第２共振スイッチがターンオフされるようにすることができ、ｔ３−２とｔ７−１期間において、第１共振スイッチがターンオフされるようにすることができる。このような場合にもプラズマディスプレイパネルの放電セルで２回の放電を発生して発光効率が向上する効果がある。
【０１１９】
他の一例としては、正極性サステインスイッチまたは負極性サステインスイッチが受ける負荷の小さい場合やサステイン期間においては、サステイン信号の個数の小さい低階調サブフィールドでは１つのサステイン信号に対して２回の放電が発生するように駆動し、正極性サステインスイッチまたは負極性サステインスイッチが受ける負荷の多い場合や高階調サブフィールドでは、正極性サステインスイッチまたは負極性サステインスイッチが受ける負荷を減少させて、サステイン期間に対するマージンの向上のために１つのサステイン信号に対して１回のサステイン放電のみ発生するようにすることもできる。
【０１２０】
更に他の一例としては、正極性サステイン信号が供給される場合や負極性サステイン信号が供給される場合のうち、１つのサステイン信号に対してのみ２回のサステイン放電が発生するようにすることができる。
【０１２１】
このような実施例は特許請求の範囲から逸脱しない。
【０１２２】
以上、本発明の好ましい実施形態に対して詳述したが、本発明が属する技術分野で通常の知識を有する者であれば、添付の特許請求の範囲に定義された本発明の精神及び範囲から逸脱せず、かつ、本発明を種々の変形または変更を行ない実施できることが分かる。したがって、本発明の今後の実施形態の変更は本発明の技術から逸脱することないはずである。
【図面の簡単な説明】
【０１２３】
【図１】本発明の一例に係るプラズマディスプレイ装置を概略的に示す図である。
【図２】プラズマディスプレイパネルの一例を説明するための図である。
【図３】プラズマディスプレイパネルを駆動する方法の一例を説明するための図である。
【図４】統合サステイン駆動部を説明するための図である。
【図５】図４に図示された統合サステイン駆動部の駆動方法の一例を説明するための図である。
【図６Ａ】図５の駆動方法に係る図４の回路動作を示す図である。
【図６Ｂ】図５の駆動方法に係る図４の回路動作を示す図である。
【図６Ｃ】図５の駆動方法に係る図４の回路動作を示す図である。
【図６Ｄ】図５の駆動方法に係る図４の回路動作を示す図である。
【図６Ｅ】図５の駆動方法に係る図４の回路動作を示す図である。
【図６Ｆ】図５の駆動方法に係る図４の回路動作を示す図である。
【図６Ｇ】図５の駆動方法に係る図４の回路動作を示す図である。
【図６Ｈ】図５の駆動方法に係る図４の回路動作を示す図である。
【図６Ｉ】図５の駆動方法に係る図４の回路動作を示す図である。
【図６Ｊ】図５の駆動方法に係る図４の回路動作を示す図である。
【図６Ｋ】図５の駆動方法に係る図４の回路動作を示す図である。
【図６Ｌ】図５の駆動方法に係る図４の回路動作を示す図である。
【図６Ｍ】図５の駆動方法に係る図４の回路動作を示す図である。
【符号の説明】
【０１２４】
１００    プラズマディスプレイパネル
１１０    第１駆動部
１２０    第２駆動部
２０４    上部誘電体層
２０５    保護層
２１２    隔壁
２１４    蛍光体層
４００    統合サステイン駆動部
４１０    負極性サステイン制御部
４２０    正極性サステイン制御部
４３０    インダクタ部
４４０    共振制御部
４５０    逆電流遮断部
４６０    バイパス部
【図１】
2007183652.tif 000003
【図２】
2007183652.tif 000004
【図３】
2007183652.tif 000005
【図４】
2007183652.tif 000006
【図５】
2007183652.tif 000007
【図６Ａ】
2007183652.tif 000008
【図６Ｂ】
2007183652.tif 000009
【図６Ｃ】
2007183652.tif 000010
【図６Ｄ】
2007183652.tif 000011
【図６Ｅ】
2007183652.tif 000012
【図６Ｆ】
2007183652.tif 000013
【図６Ｇ】
2007183652.tif 000014
【図６Ｈ】
2007183652.tif 000015
【図６Ｉ】
2007183652.tif 000016
【図６Ｊ】
2007183652.tif 000017
【図６Ｋ】
2007183652.tif 000018
【図６Ｌ】
2007183652.tif 000019
【図６Ｍ】
2007183652.tif 000020